(57)【要約】【課題】  ２種類の動きベクトルを検出することによって補間画像の誤りを抑える従来の動きベクトル検出装置では、動きベクトルの検索回路が２つ必要になり、またそれぞれの動きベクトル検出精度を良くすることはできない。【解決手段】  単一の動きベクトル検出回路２１は、相関検出回路３から出力される相関検出信号ＰＶ１１から複数の動きベクトル候補を検出し、更に動きベクトルメモリ２２から入力される１フレーム前の動きベクトルＭＶ１２を参照動きベクトルとし、その参照動きベクトルが示すベクトル方向に最も近いベクトル方向の動きベクトル候補を動きベクトルとして検出する。これにより、動きベクトル検出回路２１は、連続するフレームの流れの中で、より相関のある動きベクトルを検出することができ、動きベクトル検出の誤りを減少させることができる。【選択図】            図１
2006331136.tif 000002
【特許請求の範囲】
【請求項１】
入力画像信号の動きベクトルを、前記入力画像信号とその入力画像信号を１フレーム以上遅延させた遅延画像信号との相関検出結果に基づいて検出する動きベクトル検出装置において、
前記入力画像信号を遅延して、前記入力画像信号に対して互いにｍフレーム（ｍは１又は２以上の整数）異なる一又は二以上の遅延画像信号を得る第１の遅延手段と、
前記入力画像信号と前記一又は二以上の遅延画像信号との相関を検出し、その相関検出結果を出力する相関検出手段と、
前記相関検出結果から得られる複数の動きベクトル候補のうち、参照動きベクトルに基づいて、一方向の動きベクトル候補を動きベクトルとして検出する動きベクトル検出手段と、
前記動きベクトル検出手段により検出された前記動きベクトルを１フレーム遅廷して、前記動きベクトル検出手段へ前記参照動きベクトルとして供給する第２の遅延手段と
を有し、前記動きベクトル検出手段により前記参照動きベクトルが示すベクトル方向に最も近いベクトル方向の前記動きベクトル候補を前記動きベクトルとして検出され易いようにしたことを特徴とする動きベクトル検出装置。
【請求項２】
前記第１の遅延手段は、前記入力画像信号を１フレーム遅延して１フレーム遅延画像信号を出力する構成であり、前記相関検出手段は、前記１フレーム遅延画像信号内の移動前の注目画素を含む、水平方向ｈ１画素（ｈ１は１以上の整数）と、垂直方向ｖ１画素（ｖ１は１以上の整数）とからなる第１の範囲内の各画素と、前記入力画像信号内の移動後位置の候補となる注目画素を含む、水平方向ｈ２画素（ｈ２は１以上の整数）と、垂直方向ｖ２画素（ｖ２は１以上の整数）とからなる第２の範囲内の各画素との間の信号レベル差のそれぞれを前記相関検出結果として出力することを特徴とする請求項１記載の動きベクトル検出装置。
【発明の詳細な説明】
【技術分野】
【０００１】
本発明は動きベクトル検出装置に係り、特に入力画像信号とその入力画像信号を１フレーム以上遅延させた遅延画像信号との相関検出結果に基づいて、入力画像信号の動きベクトルを検出する動きベクトル検出装置に関する。
【背景技術】
【０００２】
飛び越し走査のインターレース信号を順次走査のプログレッシブ信号に変換するＩ／Ｐ変換や、画像信号のフレーム周波数変換などテレビジョン受像機における画像高画質化処理で動きベクトル情報が多く利用されている。
【０００３】
図６はフレーム周波数倍速変換システムに適用した従来の動きベクトル検出装置の一例のブロック図を示す。同図において、入力画像信号Ｓ１１は画像メモリ１に入力され、ここで１フレーム遅延されて遅延画像信号Ｓ１２が出力される。この遅延画像信号Ｓ１２は更に画像メモリ２に入力されて更に１フレーム遅延されることにより、入力画像信号Ｓ１１に対しては計２フレーム遅延された画像信号Ｓ１３が画像メモリ２から出力される。
【０００４】
１フレームずつ遅延した３つの画像信号Ｓ１１、Ｓ１２、Ｓ１３は相関検出回路３にそれぞれ入力され、ここで１フレーム遅延画像信号Ｓ１２内の動きベクトルを、注目画素、または領域を中心とした前後フレームとの信号レベルの差分算出が行われる。相関検出回路３で算出された差分値と、その際のベクトル情報とからなる相関検出信号ＰＶ１１は、計算された組み合わせの数だけ動きベクトル検出回路４にまとめて入力される。
【０００５】
図７は動きベクトル検出の様子を表している。相関検出はあらゆる移動方向に対して行われるが、説明を簡単にするため図７では移動物体１０が水平移動をしている状態を表しており、３本の横線は互いに１フレーム異なる画像信号Ｓ１１，Ｓ１２，Ｓ１３における同一走査線ラインを表している（図８も同様）。図７の移動物体１０に対する相関検出信号ＰＶ１１の中で、太い矢印で示されたベクトル上にある画素、もしくはその画素を含んだブロックの差分値が一番小さくなる。
【０００６】
動きベクトル検出回路４に入力された相関検出信号ＰＶ１１は、その中で差分値の絶対値が一番小さいもの（図７の太い矢印で表されているＰＶ１１）が、動きベクトルＭＶ１として検出されて出力される。図６では補間フレーム生成回路５は、１フレーム遅延画像信号Ｓ１２を、動きベクトル検出回路４で検出された動きベクトルＭＶ１に合わせて、入力画像信号Ｓ１１と１フレーム遅延画像信号Ｓ１２との間に来るであろうフレームを予測し、補間フレーム信号Ｓ１４として出力する。入力画像信号Ｓ１１と本来存在しないフレームを前後のフレームの動きから予測して作り出した補間フレーム信号Ｓ１４とは、フレーム周波数変換画像メモリを用いたタイミングコントロール回路６に供給されて書き込まれ、書き込み時の２倍の速度で補間フレーム信号Ｓ１４と入力画像信号Ｓ１１とが順次に読み出される。従って、タイミングコントロール回路６からは入力画像信号Ｓ１１が、このシステムに入力される前のフレーム周波数の２倍の周波数の画像信号Ｓ１５として出力される。
【０００７】
ここで問題となるのは、図８に示すような画像における動きベクトル検出である。図８において、ａ１、ａ２、ａ３の順で水平方向に移動する第１の移動物体画像の両隣に、ｂ１、ｂ２、ｂ３の順で水平方向に移動する第２の移動物体画像と、ｃ１、ｃ２、ｃ３の順で水平方向に移動する第３の移動物体画像とがあり、それらが似た色、似た階調を持っているものとした場合、第２の移動物体画像については、画像ｂ１とｂ３とから１１で示す動きベクトルが検出され、また、第３の移動物体画像については、画像ｃ１とｃ３とから１２で示す動きベクトルが検出されるが、第１の移動物体画像については、画像ａ２の動きベクトル検出に際しては、画像ａ１と画像ａ３との第１の差分値Ａと、画像ｂ１と画像ｃ３との第２の差分値Ｂとが同じ値をとるので、動きベクトルが誤検出される可能性がある。
【０００８】
フレーム周波数を増加させるなどの際、本来存在しないフレームを前後のフレームの動きから予測して作り出す場合、上記のような動きベクトル検出の誤検出のため不自然な補間フレームを生成する可能性がある。そこで、従来は動きベクトルの、特にフレームをいくつかのブロックに分けてブロック単位の動きベクトルを検出する際の誤検出回避案が提案されている（例えば、特許文献１参照）。
【０００９】
この特許文献１には、動きベクトルの誤検出を抑えるため、ブロック単位の動きベクトルを１つ求めたら、更に移動先のブロックと画素単位の差分値計算を行い、その計算結果をある閾値以上と以下に分け、閾値以上の領域に関してさらに動きベクトル検出を行うという、２種類の動きベクトルを検出することによって補間画像の誤りを抑える方法が開示されている。
【００１０】
【特許文献１】特開２００４−３１２６６９号公報
【発明の開示】
【発明が解決しようとする課題】
【００１１】
しかるに、上記の特許文献１記載の従来の動きベクトル検出装置では、動きベクトルの検索回路が２つ必要になり、またブロック内に動きの異なる移動物体がある場合の誤補間は低減するが、それぞれの動きベクトル検出精度を良くするものではない。
【００１２】
本発明は上記の点に鑑みなされたもので、単一の動きベクトル検出回路を用いて、動きベクトルの誤検出に起因する不自然さの少ない補間画像を生成するための動きベクトル検出装置を提供することを目的とする。
【課題を解決するための手段】
【００１３】
上記の目的を達成するため、本発明は入力画像信号の動きベクトルを、入力画像信号とその入力画像信号を１フレーム以上遅延させた遅延画像信号との相関検出結果に基づいて検出する動きベクトル検出装置において、入力画像信号を遅延して、入力画像信号に対して互いにｍフレーム（ｍは１又は２以上の整数）異なる一又は二以上の遅延画像信号を得る第１の遅延手段と、入力画像信号と一又は二以上の遅延画像信号との相関を検出し、その相関検出結果を出力する相関検出手段と、相関検出結果から得られる複数の動きベクトル候補のうち、参照動きベクトルに基づいて、一方向の動きベクトル候補を動きベクトルとして検出する動きベクトル検出手段と、動きベクトル検出手段により検出された動きベクトルを１フレーム遅廷して、動きベクトル検出手段へ参照動きベクトルとして供給する第２の遅延手段とを有し、動きベクトル検出手段により参照動きベクトルが示すベクトル方向に最も近いベクトル方向の動きベクトル候補を動きベクトルとして検出され易いようにしたことを特徴とする。
【００１４】
この発明では、動きベクトル検出手段により動きベクトルを検出する際に、既に動きベクトル検出手段で検出された１フレーム前の動きベクトルを参照動きベクトルとし、その参照動きベクトルが示すベクトル方向に最も近いベクトル方向の動きベクトル候補を動きベクトルとして検出するようにしたため、連続するフレームの流れの中で、より相関のある動きベクトルが検出され易いようにすることができる。
【００１５】
また、上記の目的を達成するため、本発明は、上記の第１の遅延手段を、入力画像信号を１フレーム遅延して１フレーム遅延画像信号を出力する構成とし、上記の相関検出手段を、１フレーム遅延画像信号内の移動前の注目画素を含む、水平方向ｈ１画素（ｈ１は１以上の整数）と、垂直方向ｖ１画素（ｖ１は１以上の整数）とからなる第１の範囲内の各画素と、入力画像信号内の移動後位置の候補となる注目画素を含む、水平方向ｈ２画素（ｈ２は１以上の整数）と、垂直方向ｖ２画素（ｖ２は１以上の整数）とからなる第２の範囲内の各画素との間の信号レベル差のそれぞれを相関検出結果として出力する構成としたことを特徴とする。
【００１６】
この発明では、第１の遅延手段が１フレーム遅延画像信号のみを出力する構成としたため、簡単な構成とすることができる。
【発明の効果】
【００１７】
本発明によれば、動きベクトル検出手段により動きベクトルを検出する際に、既に動きベクトル検出手段で検出された１フレーム前の動きベクトルを参照動きベクトルとし、その参照動きベクトルが示すベクトル方向に最も近いベクトル方向の動きベクトル候補を動きベクトルとして検出され易いようにすることにより、数種類の異なる方向への動きベクトル候補がほぼ同じ相関を持つと検出された場合であっても、動画像の動きの時間的流れを考慮したより相関のある動きベクトル候補を動きベクトルとして検出することができるため、動きベクトル検出の誤りを減少させることができる。
【発明を実施するための最良の形態】
【００１８】
次に、本発明の実施の形態について図面と共に説明する。
【００１９】
（第１の実施の形態）
図１はフレーム周波数倍速変換システムに適用した、本発明になる動きベクトル検出装置の第１の実施の形態のブロック図を示す。同図中、図６と同一構成部分には同一符号を付し、その説明を適宜省略する。図１において、相関検出回路３は、入力画像信号Ｓ１１と、画像メモリ１からの１フレーム遅延画像信号Ｓ１２と、画像メモリ２からの２フレーム遅延画像信号Ｓ１３とを入力として受け、これら入力画像信号を用いて従来と同様の相関検出演算処理を行って、例えば輝度値の差の絶対値である複数の動きベクトル候補ＰＶ１１を得る。
【００２０】
この複数の動きベクトル候補ＰＶ１１は、動きベクトル検出回路２１に入力される。動きベクトル検出回路２１は、後述する動きベクトルメモリ２２からの動きベクトルＭＶ１２と、動きベクトル候補ＰＶ１１の中から動きベクトルＭＶ１１を検出し、その検出した動きベクトルＭＶ１１を補間フレーム生成回路５と、動きベクトルメモリ２２にそれぞれ入力する。
【００２１】
動きベクトルメモリ２２は、入力される動きベクトルＭＶ１１を１フレーム期間遅延して出力する構成とされているため、動きベクトルＭＶ１１が動きベクトルメモリ２２に入力される時には、それまで保持していたＭＶ１１よりも１フレーム前に検出された動きベクトルＭＶ１２を出力して動きベクトル検出回路２１に入力する。なお、動きベクトルＭＶ１２がまだ動きベクトルメモリ２２から出力されない期間は、動きベクトル検出回路２１は、動きベクトルメモリ２２からの動きベクトルＭＶ１２を参照しないで動きベクトルを検出する。
【００２２】
補間フレーム生成回路５は、１フレーム遅延画像信号Ｓ１２を、動きベクトル検出回路２１から出力された動きベクトルＭＶ１１に合わせて、入力画像信号Ｓ１１と１フレーム遅延画像信号Ｓ１２との間に来るであろうフレームを予測し、補間フレーム信号Ｓ１４として出力する。
【００２３】
フレーム周波数変換画像メモリを用いたタイミングコントロール回路６は、入力画像信号Ｓ１１と補間フレーム信号Ｓ１４とを入力信号として受けてそれらをメモリに一旦順次に書き込んだ後、書き込み時の２倍の速度で補間フレーム信号Ｓ１４と入力画像信号Ｓ１１を順次に読み出す。これにより、フレーム周波数変換画像メモリを用いたタイミングコントロール回路６からは、入力画像信号Ｓ１１が、フレーム周波数が２倍に変換された画像信号Ｓ１５とされて出力される。
【００２４】
次に、動きベクトル検出回路２１の動作について更に詳細に説明する。上記の相関検出回路３は従来と同様に、１フレームずつ遅延した３つの画像信号Ｓ１１、Ｓ１２、Ｓ１３において、１フレーム遅延画像信号Ｓ１２における動きベクトルを検出したい画素、又は幾つかに分割されたブロックを中心に、前後フレームとの信号レベルの差分算出を行い、算出した差分値と、その際のベクトル情報とからなる相関検出信号ＰＶ１１を得る。この相関検出信号ＰＶ１１は、計算された組み合わせの数だけ相関検出回路３からまとめて出力されて動きベクトル検出回路２１に入力される。
【００２５】
動きベクトル検出回路２１は、相関検出信号ＰＶ１１のうち、最も小さな差分値に対応するベクトル情報を動きベクトルとするが、図２（ａ）及び図８に示したように、ある対象のフレーム間差分値ＡとＢがほぼ等しく、異なる動きベクトルが同程度起こりうる場合、動画の流れの上で不自然な動きベクトルを選択してしまう可能性がある。
【００２６】
そこで、本実施の形態では、動きベクトル検出回路２１は、動きベクトルメモリ２２から入力される、図２（ｂ）に１３で示すように、１フレーム前に検出された同じ画素、または同じブロック近辺の動きベクトルＭＶ１２を参照して同じ方向の動きベクトルが選ばれ易くなるように、その他の動きベクトル候補の持つ差分値Ｂに動きベクトルの違いの大小によって可変する値αを加える。これによって図２（ｂ）に示すように動きベクトルにいくつかの候補が考えられる場合に、そのまま最小値判定をするよりも、時間の流れの中で連続になるような動きベクトル１４（ＭＶ１１）が選ばれるようになる。
【００２７】
このようにして動きベクトル検出回路２１にて選択した動きベクトルＭＶ１１を使用して、補間フレーム生成回路５にて補間フレームを生成することにより、従来よりも誤補間を少なくすることができ、動きベクトルの誤検出に起因する不自然さの少ない補間画像を生成することができる。
【００２８】
（第２の実施の形態）
図３はフレーム周波数倍速変換システムに適用した、本発明になる動きベクトル検出装置の第２の実施の形態のブロック図を示す。同図中、図１と同一構成部分には同一符号を付し、その説明を省略する。図３に示す第２の実施の形態は、動きベクトル検出に利用するフレーム数が２枚に減っている点が、図１の第１の実施形態と異なる。これにより、本実施の形態によれば、第１の実施の形態に比し、フレーム遅延用画像メモリが１つ削減できるが、動き予測を２フレーム間でしか行わないことにより検出精度が低下する。
【００２９】
図３に示す入力画像信号を入力時の２倍のフレーム周波数で出力する回路において、相関検出回路２５は、入力画像信号Ｓ１１と、画像メモリ１からの１フレーム遅延画像信号Ｓ１２とを入力として受け、これら２つの連続するフレームの入力画像信号を用いて従来と同様の相関検出演算処理を行って複数の動きベクトル候補ＰＶ２１を得る。
【００３０】
この複数の動きベクトル候補ＰＶ２１は、動きベクトル検出回路２６に入力される。動きベクトル検出回路２６は、後述する動きベクトルメモリ２７からの動きベクトルＭＶ２２と動きベクトル候補ＰＶ２１の中から動きベクトルＭＶ２１を検出し、その検出した動きベクトルＭＶ２１を補間フレーム生成回路５と、動きベクトルメモリ２７にそれぞれ入力する。
【００３１】
動きベクトルメモリ２７は、入力される動きベクトルを１フレーム期間遅延して出力する構成とされているため、動きベクトルＭＶ２１が入力される時には、それまで保持していたＭＶ２１よりも１フレーム前に検出された動きベクトルＭＶ２２を出力して動きベクトル検出回路２６に入力する。なお、動きベクトルＭＶ２２がまだ動きベクトルメモリ２７に記憶されていない期間は、動きベクトル検出回路２６は、動きベクトルメモリ２７からの動きベクトルＭＶ２２を参照しないで動きベクトルを検出する。
【００３２】
補間フレーム生成回路５は、１フレーム遅延画像信号Ｓ１２を、動きベクトル検出回路２６から出力された動きベクトルＭＶ２１に合わせて、入力画像信号Ｓ１１と１フレーム遅延画像信号Ｓ１２との間に来るであろうフレームを予測し、補間フレーム信号Ｓ２４として出力する。フレーム周波数変換画像メモリを用いたタイミングコントロール回路６は、入力画像信号Ｓ１１と補間フレーム信号Ｓ２４とを入力信号として受け、それらをメモリに一旦順次に書き込んだ後、書き込み時の２倍の速度で補間フレーム信号Ｓ２４と入力画像信号Ｓ１１を順次に読み出す。これにより、フレーム周波数変換画像メモリを用いたタイミングコントロール回路６からは、入力画像信号Ｓ１１が、フレーム周波数が２倍に変換された画像信号Ｓ２５とされて出力される。
【００３３】
ここで、相関検出回路２５では、比較するフレーム数が２枚と少ないことによる誤補間を減少させるため、図４に楕円で括って示す、差分を比較する対象（注目画素）と、その注目画素を中心とする周辺画素情報とからなる範囲において、注目画素と周辺画素情報とを例えば３×３ドットのブロック単位で比較し、両者の相関を持たせて相関検出信号ＰＶ２２を得る。
【００３４】
図４において、１フレーム遅延画像信号Ｓ１２のある１ライン上において、ブロックＢＬ１１、ＢＬ１２がそれぞれ相関を持たせる範囲を示し、入力画像信号Ｓ１１のＳ１２と同じ１ライン上において、ブロックＢＬ２１、ＢＬ２２、ＢＬ２３がそれぞれ相関を持たせる範囲を示す。なお、上記の説明ではブロック単位が３×３ドットとしたが、図示の便宜上、図４及び後述の図５では、１つの丸が１ドット（１画素）を示しており、ブロックは１ライン上のみについて示している。しかし、このブロックは水平方向及び垂直方向ともに１以上の画素であればよい。
【００３５】
相関検出回路２５では、入力された２つの画像信号Ｓ１１及びＳ１２の間の動きベクトルを検出したい注目画素、もしくはいくつかに分割されたブロックを中心に信号レベルの差分算出を行う。すなわち、相関検出回路２５は、１フレーム遅延画像信号Ｓ１２内の移動前の注目画素を含む、水平方向ｈ１画素（ｈ１は１以上の整数）と、垂直方向ｖ１画素（ｖ１は１以上の整数）とからなる第１の範囲内の各画素と、入力画像信号Ｓ１１内の移動後位置の候補となる注目画素を含む、水平方向ｈ２画素（ｈ２は１以上の整数）と、垂直方向ｖ２画素（ｖ２は１以上の整数）とからなる第２の範囲内の各画素との間の信号レベル差（例えば、輝度の差分値の絶対値）のそれぞれを相関検出信号ＰＶ２２として出力する。
【００３６】
図３の動きベクトル検出回路２６は、相関検出回路２５から出力された相関検出信号ＰＶ２２のうち、基本的には最も小さな差分値に対応するベクトル情報を動きベクトルとするが、図４に示したように、１フレーム遅延画像信号Ｓ１２のある１ラインのブロックＢＬ１２に対して、入力画像信号Ｓ１１の上記と同じライン上のブロックＢＬ２２とＢＬ２３との差分値ＣとＤがほぼ同じ値になり、誤検出する可能性がある。
【００３７】
そこで、本実施の形態では、動きベクトル検出回路２６は、図３に示す動きベクトルメモリ２７から１フレーム前に検出された動きベクトルＭＶ２２を考慮して、最終的に動きベクトルＭＶ２１を検出する。すなわち、動きベクトル検出回路２６は、図５に示すように１フレーム前に検出された同じ画素、または同じブロック近辺の動きベクトル１６（ＭＶ２２）を参照して、同じ方向の動きベクトル１７が選ばれやすくなるように、その他の動きベクトル候補の持つ差分値Ｃに動きベクトルの違いの大小によって可変する値βを加える。
【００３８】
これによって、動きベクトル検出回路２６は、差分値Ｃ＋βと差分値Ｄとを比較して、値が小さな差分値Ｄに対応した動きベクトル１７を検出することができ、図４に示したように、動きベクトルにいくつかの候補が考えられる場合に、そのまま最小値判定をするよりも、時間の流れの中で連続になるような動きベクトルが選ばれるようになる。このようにして動きベクトル検出回路２６で検出された動きベクトルＭＶ２１は、補間フレーム生成回路５と、動きベクトルメモリ２７にそれぞれ入力される。
【００３９】
動きベクトルメモリ２７からは１フレーム期間保持された、動きベクトルＭＶ２１よりも１フレーム前に検出された動きベクトルＭＶ２２が出力され、動きベクトル検出回路２６に入力される。動きベクトルＭＶ２２がまだない期間は、動きベクトル検出回路２６は動きベクトルＭＶ２２を参照しないで動きベクトルを検出する。
【００４０】
補間フレーム生成回路５は動きベクトル検出回路２６から出力された動きベクトルＭＶ２１の情報に従って補間フレーム信号Ｓ２４を生成する。入力画像信号Ｓ１１と補間フレーム信号Ｓ２４とはタイミングコントロール回路６に入力されてタイミングコントロール回路６内のメモリにそれぞれ書き込まれ、前述したように、入力画像信号Ｓ１１のフレーム周波数の２倍のフレーム周波数となるように、書き込み時の２倍の速度で上記メモリから補間フレーム信号Ｓ２４と入力画像信号Ｓ１１とが順次に読み出され、入力時よりも２倍のフレーム周波数の画像信号Ｓ２５が出力される。
【００４１】
このように、本実施の形態によれば、第１の実施の形態と同様に、従来よりも誤補間を少なくすることができ、動きベクトルの誤検出に起因する不自然さの少ない補間画像を生成することができ、更にそれに加えて、フレーム遅延用画像メモリが１つ削減できるために安価で簡単な構成にできる。
【００４２】
なお、本発明は以上の実施の形態に限定されるものではなく、フレーム周波数倍速変換システム以外にも適用できることは勿論である。
【図面の簡単な説明】
【００４３】
【図１】本発明の第１実施の形態のブロック図である。
【図２】図１の実施の形態と従来例での動きベクトル検出方法を対比して示す図である。
【図３】本発明の第２の実施形態のブロック図である。
【図４】図３の実施の形態を使用しないときの動きベクトル検出説明図である。
【図５】図３の実施の形態を使用したときの動きベクトル検出説明図である。
【図６】従来の動きベクトル検出装置の一例のブロック図である。
【図７】従来の動きベクトル検出説明図である。
【図８】従来の動きベクトル検出装置で起こり得る誤検出を説明する図である。
【符号の説明】
【００４４】
１、２  画像メモリ
３、２５  相関検出回路
５  補間フレーム生成回路
６  フレーム周波数変換画像メモリを用いたタイミングコントロール回路
１２、１３、１４、１６、１７  動きベクトル
２１、２６  動きベクトル検出回路
２２、２７  動きベクトルメモリ
Ｓ１１  入力画像信号
Ｓ１２  １フレーム遅延画像信号
Ｓ１３  ２フレーム遅延画像信号
Ｓ１４、Ｓ２４  補間フレーム信号
Ｓ１５、Ｓ２５  フレーム周波数変換出力画像信号
ＰＶ１１  相関検出信号
ＭＶ１１、ＭＶ２１  動きベクトル
ＭＶ１２、ＭＶ２２  １フレーム遅延動きベクトル
【図１】
2006331136.tif 000003
【図２】
2006331136.tif 000004
【図３】
2006331136.tif 000005
【図４】
2006331136.tif 000006
【図５】
2006331136.tif 000007
【図６】
2006331136.tif 000008
【図７】
2006331136.tif 000009
【図８】
2006331136.tif 000010